(57)【要約】【課題】  本発明は、このような課題に鑑みてなされたものであり、より天板を浮いているように見せることができる浴室用カウンタを提供することを目的とする。【解決手段】  浴室の壁面に取り付けられる支持材と、前記支持材に支持され、前記壁面および浴槽から水平方向に離間して設けられる天板と、を備え、前記支持材は、無色透明な部材から構成されていることを特徴とする。【選択図】  図１
2016174859.tif 000002
【特許請求の範囲】
【請求項１】
浴室の壁面に取り付けられる支持材と、
前記支持材に支持され、前記壁面および浴槽から水平方向に離間して設けられる天板と、
を備え、
前記支持材は、無色透明な部材から構成されていることを特徴とする浴室用カウンタ。
【請求項２】
前記支持材は、前記天板の下面のみを支持するように構成されていることを特徴とする請求項１に記載の浴室用カウンタ。
【請求項３】
前記支持材の下面は、前記天板から前記壁面に向かって下方へ傾斜した第１の傾斜面を有することを特徴とする請求項２に記載の浴室用カウンタ。
【請求項４】
前記支持材のうちで前記天板と前記壁面との間に存在する部分の上面は、前記天板から前記壁面に向かって下方へ傾斜した第２の傾斜面を有することを特徴とする請求項２〜３のいずれか１つに記載の浴室用カウンタ。
【請求項５】
前記支持材のうちで前記天板と前記壁面との間に存在する部分の横方向の長さは、前記天板の横方向の長さよりも短いことを特徴とする請求項２〜４のいずれか１つに記載の浴室用カウンタ。
【発明の詳細な説明】
【技術分野】
【０００１】
本発明の態様は、一般的に、浴室の壁に取り付けられる浴室用カウンタに関する。
【背景技術】
【０００２】
カウンタ（天板）が浴槽および壁面から離れて設けられたカウンタ付き浴室が知られている（特許文献１）。このようにカウンタを構成することで、特許文献１のカウンタ付き浴室は、カウンタが浮いているように使用者に視認させることを意図している。このようにカウンタが浮いて見えるようにすることで、浴室の美観を向上させることができる。しかし、特許文献１に記載されたカウンタ付き浴室では、支柱がカウンタを長手方向に貫通しカウンタを支持している。したがって、使用者はカウンタの長手方向に延びる支柱を視認できるため、カウンタを浮いているように見せるという点においては、改善の余地がある。
【先行技術文献】
【特許文献】
【０００３】
【特許文献１】特開２０１３−１７９９８７号公報
【発明の概要】
【発明が解決しようとする課題】
【０００４】
本発明は、このような課題に鑑みてなされたものであり、より天板を浮いているように見せることができる浴室用カウンタを提供することを目的とする。
【課題を解決するための手段】
【０００５】
上記した課題を解決するために、本発明は、浴室の壁面に取り付けられる支持材と、前記支持材に支持され、前記壁面および浴槽から水平方向に離間して設けられる天板とを備え、前記支持材は、無色透明な部材から構成されていることを特徴とする。
【０００６】
これによれば、壁面および浴槽から水平方向に離間して設けられる天板を支持する支持材が無色透明な部材から構成されているため、使用者に、支持材を視認しづらくできる。よって、より天板を浮いているように見せることができ、浴室の美観を向上させることができる。
【０００７】
また、本発明では、前記支持材は、前記天板の下面のみを支持するように構成することが好ましい。
【０００８】
これによれば、支持材は天板の下面のみを支持するため、使用者が天板の側端面を清掃する際に、手が視認しづらい支持材に当たることを抑制することができる。これにより、清掃作業の作業性を向上させることができる。
【０００９】
また、本発明では、前記支持材の下面は、前記天板から前記壁面に向かって下方へ傾斜した第１の傾斜面を有するように構成することが好ましい。
【００１０】
これによれば、支持材の下面は、天板から壁面に向かって下方へ傾斜した第１の傾斜面を有するため、天板の下面のみを支持材で支持するようにした場合において、使用者が洗い場に置いた風呂イスに座り、天板下方に足をのばしたとしても、足が支持材に当たることを防止できるため、使い勝手も良い。
【００１１】
また、本発明では、前記支持材のうちで前記天板と前記壁面との間に存在する部分の上面は、前記天板から前記壁面に向かって下方へ傾斜した第２の傾斜面を有するように構成することが好ましい。
【００１２】
これよれば、支持材のうちで天板と壁面との間に存在する部分の上面は、天板から前記壁面に向かって下方へ傾斜した第２の傾斜面を有するため、天板から支持材の上面に流れ落ちた水は、勢い良く壁面側へ流れ、壁面側の支持材上面の左右端部から下方へと落下しやすい。したがって、支持材上面に水が溜まることを抑制でき、支持材上面が汚れにくくなるため、清掃の手間を軽減させることができる。
【００１３】
また、本発明では、前記支持材のうちで前記天板と前記壁面との間に存在する部分の横方向の長さは、前記天板の横方向の長さよりも短くなるように構成することが好ましい。
【００１４】
これよれば、支持材のうちで天板と壁面との間に存在する部分の横方向の長さは、天板の横方向の長さよりも短いため、天板から支持材の上面に流れ落ちた水が溜まる支持材上面の面積を小さく抑えることができる。したがって、支持材上面の清掃面積を小さく抑えることができ、清掃の手間を軽減させることができる。
【発明の効果】
【００１５】
本発明の浴室用カウンタによれば、より天板を浮いているように見せることができ、浴室の美観を向上させることができる。
【図面の簡単な説明】
【００１６】
【図１】本発明の実施形態の浴室用カウンタを設置した浴室を示す斜視図である。
【図２】本発明の実施形態の浴室用カウンタの平面図である。
【図３】本発明の実施形態の浴室用カウンタの正面図である。
【図４】本発明の実施形態の浴室用カウンタの右側面図である。
【図５】本発明の実施形態の浴室用カウンタの底面図である。
【図６】本発明の実施形態の浴室用カウンタの側端面に付着した汚れを示す拡大図である。
【図７】本発明の実施形態の浴室用カウンタの側端面をお手入れしている状態を示す図である。
【図８】本発明の浴室用カウンタの第一の変形例を示す右側面図である。
【図９】本発明の浴室用カウンタの第二の変形例を示す右側面図である。
【発明を実施するための形態】
【００１７】
以下、本発明の実施の形態を図面に基づいて説明する。
図１は、本発明の実施形態の浴室用カウンタを設置した浴室を示す斜視図、図２は浴室用カウンタの平面図、図３は浴室用カウンタの正面図、図４は浴室用カウンタの右側面図、図５は浴室用カウンタの底面図である。
【００１８】
図１に示すように、本実施形態の浴室用カウンタ３は、浴室の洗い場１００の正面壁１１０に取り付けられている。浴室用カウンタ３は、天板３００と支持材３５０を有する。天板３００は、浴槽２００と、浴槽２００と洗い場１００を挟んで相対する側面壁１２０との間で、浴槽２００と側面壁１２０との間に配設される正面壁１１０に沿って取り付けられている。天板３００は、その上面３１０が平坦あるいは緩く傾斜して段差の無い載置面となっており、洗面器などを載せて使用することができる。
【００１９】
天板３００の上方の正面壁１１０には、天板３００に載せた洗面器に給湯する水栓４００が取り付けられている。また、水栓４００より上方の正面壁１１０には、鏡５００が取り付けられている。
【００２０】
天板３００は、支持材３５０によって正面壁１１０（壁面）に取り付けられている。
【００２１】
支持材３５０は、その一端が、天板３００の下面３２０において、側端面３３０から離れた位置に、ネジなどの締結具３５１によって取り付けられている。また、支持材３５０の他端は、正面壁１１０の、天板３００の側端面３３０の下端よりも所定寸法離れた下方位置に、ボルトなどの締結具３５２により取り付けられている。
【００２２】
支持材３５０は、その材料が無色透明な樹脂で作られている。天板３００にかかる荷重を支持する強度が必要とされるため、材料はポリカーボネートやポリプロピレン樹脂など、強度があるものが好ましい。図１に示した、支持材３５０の破線は、実際には支持材があるが、見えていない様子を意味している。支持材３５０を無色透明にすることで、いかなる角度からも使用者は支持材３５０を視認しづらくなり、天板３００を浮いているようにみせることができる。
【００２３】
また、支持材３５０は、その上面および下面の両者が、天板３００から正面壁１１０に向かって下方へ傾斜するよう構成されている。支持材３５０下面の傾斜面である第１の傾斜面３５５は、天板３００の下面３２０から正面壁１１０まで続いており、同様に、支持材３５０上面の傾斜面である第２の傾斜面３５６も、天板３００の下面３２０から正面壁１１０まで続いている。
【００２４】
さらに、支持材３５０のうち、天板３００と正面壁１１０との間に存在する部分の横方向の長さ（横幅）は、天板３００の横方向の長さ（横幅）よりも小さい。
【００２５】
なお、支持材３５０の上面が正面壁１１０に当接している位置は、使用者の死角に入りやすいため、支持材３５０に付着した汚れは使用者から視認しづらい。そのため、浴室の美観を良好にすることが可能となる。
【００２６】
天板３００は、その左右および背後の側端面が、それぞれ正面壁１１０、側面壁１２０、浴槽２００から離間するように取り付けられている。そのため、天板３００の側端面３３０と正面壁１１０、側面壁１２０、浴槽２００との間には、それぞれ隙間が形成される。本実施形態においては、天板３００の背後の側端面３３０Ｂと正面壁１１０との間には、５０ｍｍの隙間Ｓ１が設けられている。天板３００の左側（浴槽２００側）の側端面３３０Ｌと浴槽２００との間には、７０ｍｍの隙間Ｓ２が設けられている。また、天板３００の右側（壁１２０側）の側端面３３０Ｒと側面壁１２０との間には、７０ｍｍの隙間Ｓ３が設けられている。
【００２７】
この隙間Ｓ１〜Ｓ３は、天板３００の側端面３３０を拭き掃除するのに適切な寸法の隙間があいている。隙間に手指Ｆを入れて念入りに掃除をするには、隙間Ｓ１，Ｓ２，Ｓ３は、３０ｍｍ以上であることが好ましく、手の甲が正面壁１１０、側面壁１２０、浴槽２００に当たらないためには７０ｍｍ以下であることが好ましい。また、隙間Ｓ１は、洗い場１００に天板３００が大きく出っ張らないために、３０〜５０ｍｍであることがより好ましい。
【００２８】
図６は、天板の側端面に付着した汚れを示す拡大図である。
前述したとおり、天板３００の上面３１０に洗面器を載せて使用するため、天板３００の上面３１０には界面活性剤を含んだ水が流れる。その水は、天板３００の全体の周囲から側端面３３０を伝って洗い場１００上に落下する。そのため、水垢あるいは石鹸カスなどの汚れＤは、天板３００の側端面３３０に残留しやすい。特に、側端面３３０の下端に残留しやすい。
【００２９】
次に、天板のお手入れ方法について説明する。
図７は、天板の側端面をお手入れしている状態を示す図である。
【００３０】
天板３００の側端面３３０の下端に付着した汚れＤは、洗剤を含ませた等の清掃用具Ｃで擦り洗いすることによって落とすことができる。その際、天板３００の側端面３３０と正面壁１１０，側面壁１２０あるいは浴槽２００との隙間Ｓ１，Ｓ２，Ｓ３は、前述したとおり３０ｍｍ以上の寸法を有するので、図７に示すように、清掃用具Ｃを掴んだ手指Ｆは、この隙間Ｓ１，Ｓ２，Ｓ３に容易に差し込むことができる。そして、支持材３５０の一端は、天板３００の下面３２０のうち側端面３３０から離れた位置に取り付けられている。そのため、天板３００の側端面３３０と支持材３５０とで入隅が形成されることはなく、天板３００の側端面３３０の下方は空間となる。これにより、天板３００の側端面３３０を、力を入れて擦り洗いすることが可能となる。また、天板３００の側端面３３０に付着した汚れは、入隅に付着した汚れよりも容易に擦り落とすことが可能である。したがって、天板３００の側端面３３０の下端などに付着した水垢や石鹸カスといった汚れＤを簡単に落とすことができる。これにより、天板３００の側端面３３０へのカビの発生を抑制することができる。
【００３１】
本実施形態の天板３００によれば、天板３００が、その側端面３３０を正面壁１１０，側面壁１２０や浴槽２００から離して配設されるので、天板３００と正面壁１１０，側面壁１２０や浴槽２００とが成す入隅が無くなる。そのため、従来、入隅に溜まりやすかった水や汚れが残留することがない。また、正面壁１１０，側面壁１２０や浴槽２００と天板３００との間の入隅にシリコンを塗布する必要もなく、見栄えも良好になる。
【００３２】
さらに、天板３００の側端面３３０を正面壁１１０，側面壁１２０や浴槽２００から水平方向に離間させた上で、天板３００の下面３２０のうち側端面３３０から離れた位置に取り付けた支持材３５０で壁１１０に固定するので、天板３００の側端面３３０は正面壁１１０，側面壁１２０や浴槽２００ばかりでなく支持材３５０からも離間した状態となる。そのため、天板３００の上面３１０から界面活性剤を含んだ水が天板３００の側端面３３０に垂れ流され、水垢や石鹸カスなどの汚れＤが天板３００の側端面３３０に残っても、天板３００の側端面３３０を端から端まで、洗剤と清掃用具Ｃとで、より一層、簡単に清掃することができる。
【００３３】
また、天板３００は、天板３００の側端面３３０と正面壁１１０、側面壁１２０や浴槽２００とを、３０ｍｍ以上離間させる。これにより、清掃用具Ｃを持った手指Ｆを隙間Ｓ１，Ｓ２，Ｓ３に容易に差し込むことができ、強い力で拭き掃除することが可能である。
【００３４】
また、支持材３５０は、その下面に第１の傾斜面３５５を有しているため、使用者が洗い場１００に置いた風呂イスに座り、天板３００下方に足をのばしたとしても、足が支持材３５０に当たることを防止でき、使い勝手も良い。なお、本発明には、支持材３５０の下面の全てが傾斜したもの以外の形態も含まれる。すなわち、足をのばしたときに支持材３５０に当たりにくくい形態であれば本発明に含まれるものであり、例えば、支持材３５０の下面の一部のみに傾斜面を有するものもの本発明には含まれる。
【００３５】
また、支持材３５０は、その上面に第２の傾斜面３５６を有しているため、天板３００から支持材３５０の上面に流れ落ちた水は、勢い良く正面壁１１０側へ流れ、正面壁１１０側の支持材３５０上面の左右端部から下方へと落下しやすい。したがって、支持材３５０上面に水が溜まることを抑制でき、支持材３５０上面が汚れにくくなるため、清掃の手間を軽減させることができる。なお、本発明には、支持材３５０の上面の全てが傾斜したもの以外の形態も含まれるものであり、天板３００と正面壁１１０との間に存在する部分の少なくとも一部に傾斜面を有するものも本発明には含まれる。
【００３６】
さらに、支持材３５０のうち、天板３００と正面壁１１０との間に存在する部分の横方向の長さ（横幅）は、天板３００の横方向の長さ（横幅）よりも小さい。これにより、天板３００から支持材３５０の上面に流れ落ちた水が溜まる支持材３５０上面の面積を小さく抑えることができる。したがって、支持材３５０上面の清掃面積を小さく抑えることができ、清掃の手間を軽減させることができる。
【００３７】
次に、本発明の浴室用カウンタの変形例について説明する。なお、前述した実施形態と同じ構成については、同じ符号を付し、その説明を省いている。
【００３８】
図８は、第一の変形例の天板を示す右側面図である。
この天板６００は、側端面６３０を曲面状にして、さらに、上面６１０・下面６２０と側端面６３０との間に角を無くしている。
【００３９】
この変形例によれば、天板６００は、側端面６３０を曲面状にすることにより、拭き掃除を一層手軽に行うことができる。
【００４０】
図９は、第二の変形例の天板を示す右側面図である。
この天板７００では、天板７００と支持具３５０との間に、補強材３７０を設けている。この補強材３７０は、天板７００よりも狭い横幅の支持具３５０で支持しても天板７００を撓みにくくする。
そして、天板７００の背後の側端面７３０Ｂと補強材３７０の背後の側端面３７０Ｂとは、面一となるように構成されている。
【００４１】
このように、本発明は、支持材３５０で直接天板７００を支持しなくても構わない。
【００４２】
また、この変形例によれば、支持材３５０の真上においては、天板７００の裏側まで清掃用具Ｃが入り込まないので、前述した実施の形態よりも手間はかかるが、天板７００の全ての側端面は壁や浴槽から離れているので、やはり、汚れが付着した天板７００の側端面を端から端まで、洗剤と清掃用具Ｃで簡単に擦り洗いすることができる。
【００４３】
なお、支持具３５０と補強材３７０とを一体化させてもよい。
【００４４】
以上、本発明の実施の形態について説明した。しかし、本発明はこれらの記述に限定されるものではない。
【符号の説明】
【００４５】
１００    洗い場
１１０    壁
１２０    壁
２００    浴槽
３００    天板
３１０    天板の上面
３２０    天板の下面
３３０    天板の側端面
３３０Ｂ  天板の背後側の側端面
３３０Ｒ  天板の右側の側端面
３３０Ｌ  天板の左側の側端面
３５０    支持材
３５５    第１の傾斜面
３５６    第２の傾斜面
６００    天板
６１０    天板の上面
６２０    天板の下面
６３０    天板の側端面
Ｓ１      隙間
Ｓ２      隙間
Ｓ３      隙間
【図１】
2016174859.tif 000003
【図２】
2016174859.tif 000004
【図３】
2016174859.tif 000005
【図４】
2016174859.tif 000006
【図５】
2016174859.tif 000007
【図６】
2016174859.tif 000008
【図７】
2016174859.tif 000009
【図８】
2016174859.tif 000010
【図９】
2016174859.tif 000011